(57)【要約】      （修正有）【課題】把持部材と共に使用されて、リールシートの外側部上に把持表面を有するリールシートを提供する。【解決手段】リールシート１２は、リールシート１２の一部の回りに部分的に又は完全に延在する凹状形成部分を含み得る。前記凹状形成部分は、該凹状形成部分に対して接着され得る把持部材を受容すべく構成され得る。前記把持部材は、リールシート１２を使用している釣り人に対して快適な把持性及び最大限の感度を提供すべく設計された複数の層を含み得る。【選択図】図２
2017018103.tif 000002
【特許請求の範囲】
【請求項１】
第１端部及び第２端部を画成する本体部分であって、
当該本体部分の前記第１端部から当該本体部分の前記第２端部まで延在し、釣り竿の取手部分を受容すべく構成された長手中空キャビティと、
釣用リール・アームの第１部分を受容すべく構成された第１挿入部分と、釣用リール・アームの第２部分を受容すべく構成された第２挿入部分とを含む固着部分と、
リールシートの当該本体部分の外側部分の少なくとも幾分かの回りに延在する凹状形成領域であって、深度と、凹状形成領域形状を画成する外周縁とを含む、という凹状形成領域とを具備するという本体部分と、
前記凹状形成領域の近傍で前記本体部分を形成している材料とは異なる特性を有する材料を具備する把持部材であって、該把持部材の外周縁は前記凹状形成領域形状に対応し、該把持部材は、該把持部材が前記凹状形成領域内に固着される如く前記本体部分に対して固着される、という把持部材とを具備する、釣り竿と共に使用されるリールシート。
【請求項２】
当該釣り竿の取手部分に対して取付けられた請求項１に記載のリールシートを有する、釣り竿。
【請求項３】
当該釣り竿は、前側グリップ、後側グリップ、及び、根元グリップを更に具備し、
前記取付けられたリールシートの前記把持部材は、前記前側グリップ、前記後側グリップ、又は、前記根元グリップの少なくとも一部の材料又は外観に対応する、請求項２に記載の釣り竿。
【請求項４】
前記第１の挿入部分及び前記第２の挿入部分により前記固着部分に対して取付けられたリールを更に具備する、請求項３に記載の釣り竿。
【請求項５】
前記把持部材は複数の層を含む、請求項１に記載のリールシート。
【請求項６】
前記把持部材の内側層はエチレン酢酸ビニルを具備する、請求項４に記載のリールシート。
【請求項７】
前記把持部材の外側面はポリウレタンを具備する、請求項１に記載のリールシート。
【請求項８】
前記固着部分は、前記本体部分の第１側面上に位置決めされ、且つ、前記凹状形成部分は、前記本体部分の第１側面から、該第１側面とは逆側である該本体部分の第２側面まで延在する、請求項１に記載のリールシート。
【請求項９】
前記第１挿入部分は、前記本体部分に対して固定される、請求項１に記載のリールシート。
【請求項１０】
前記凹状形成領域は、前記第１挿入部分の少なくとも一部上に延在する、請求項９に記載のリールシート。
【請求項１１】
前記第２挿入部分は、当該リールシートの前記本体に沿って長手方向に平行移動すべく構成される、請求項１に記載のリールシート。
【請求項１２】
前記第１挿入部分は、当該リールシートの前記本体に沿って長手方向に平行移動すべく構成される、請求項１１に記載のリールシート。
【請求項１３】
前記第１挿入部分は、前記本体部分に対して固定される、請求項１１に記載のリールシート。
【請求項１４】
前記把持部材は、前記本体部分に対して接着剤により固着される、請求項１に記載のリールシート。
【請求項１５】
前記把持部材は、前記固着部分の前記第１の挿入部分及び前記第２の挿入部分を含む当該リールシートの前記第１側面上で継目を形成する、請求項１４に記載のリールシート。
【請求項１６】
前記把持部材は、前記凹状形成領域の大部分を満たす、請求項１に記載のリールシート。
【請求項１７】
前記凹状形成領域の近傍における前記把持部材と前記本体部分との間の遷移部は円滑である、請求項１６に記載のリールシート。
【請求項１８】
前記把持部材は、前記凹状形成領域の深度に等しい厚みを有する、請求項１に記載のリールシート。
【請求項１９】
前記把持部材は弾性的である、請求項１に記載のリールシート。
【請求項２０】
第１端部及び第２端部を画成する本体部分であって、
当該本体部分の前記第１端部から当該本体部分の前記第２端部まで延在し、釣り竿の取手部分を受容すべく構成された長手中空キャビティと、
釣用リール・アームの第１部分を受容すべく構成された第１挿入部分と、釣用リール・アームの第２部分を受容すべく構成された第２挿入部分とを含む固着部分と、
リールシートの当該本体部分の外側部分の少なくとも幾分かの回りに延在する凹状形成領域と、
を具備する、という本体部分を配備する段階と、
前記凹状形成領域の近傍で前記本体部分を形成している材料とは異なる特性を有する材料を具備する把持部材であって、該把持部材の外周縁は前記凹状形成領域形状に対応する、という把持部材を配備する段階と、
前記把持部材が前記凹状形成領域内に固着される如く、前記把持部材を前記本体部分上に固着する段階と、
を具備する、釣り竿と共に使用されるリールシートを作成する方法。
【請求項２１】
前記配備された把持部材は複数の層を含む、請求項２０に記載の方法。
【請求項２２】
前記配備された把持部材は、エチレン酢酸ビニルを具備する内側層を含む、請求項２１に記載の方法。
【請求項２３】
前記把持部材を前記本体部分に対して固着する前記段階は、前記把持部材を前記本体部分に対して接着する段階を含む、請求項２１に記載の方法。
【請求項２４】
前記配備された把持部材は弾性的である、請求項２０に記載の方法。
【請求項２５】
前記凹状形成領域内に前記把持部材を固着する前記段階によれば、該凹状形成領域の近傍における前記把持部材と前記本体部分との間の遷移部が円滑である如く、該凹状形成領域は満たされる、請求項２０に記載の方法。
【発明の詳細な説明】
【技術分野】
【０００１】
本出願は、(「把持表面を備えたリールシート」と称されて)２０１５年７月１４日に出願された米国仮特許出願第６２／１９２，４５３号の特典を主張するものであり、その開示内容は、言及したことによりその全体が本明細書に組み入れられる。
本明細書中に開示される幾つかの実施例は、釣り竿(fishing pole)及びその構成、更に詳細には、把持表面が装着されたリールシート(reel seat)に関する。
【背景技術】
【０００２】
関連技術の説明
娯楽である魚釣りにおいては、使用される多くの釣り竿が在る。最も一般的な釣り竿は、該釣り竿に適合する釣用リールを受容すべく構成されたリールシートを含んでいる。しかし乍ら、入手可能なリールシートは概略的に、アルミニウム又はグラファイトの如き、固体材料で構成されると共に、所望の性能特性を提供する表面を欠いている（例えば、特許文献１参照。）。
【先行技術文献】
【特許文献】
【０００３】
【特許文献１】米国特許第８，５１８，５０５号明細書
【発明の概要】
【０００４】
本明細書における開示内容は、竿を通しての振動の伝達性を維持し乍ら更に良好な快適さ及び制御性を提供する優れた把持表面を備えるリールシート、及び、斯かるリールシートを作製する方法を提供する。この概要に対し、本明細書においては、本発明の幾つかの見地、利点、及び、新規な特徴が記述される。必ずしも、斯かる利点の全てが、本発明の任意の特定の実施例に従って達成されるのでないことは理解される。故に、たとえば、当業者であれば、本発明は、本明細書において教示もしくは示唆され得る他の利点を必ずしも達成せずに、本明細書において教示される一つの利点又は一群の利点を達成する様式で具現もしくは実施され得ることを理解し得よう。
【０００５】
幾つかの実施例においては、釣り竿と共に使用されるリールシートが提供される。該リールシートは、第１端部及び第２端部を画成する本体部分を含み得る。前記本体部分は、当該本体部分の前記第１端部から当該本体部分の前記第２端部まで延在し、釣り竿の取手部分を受容すべく構成された長手中空キャビティと、釣用リール・アームの第１部分を受容すべく構成された第１挿入部分と、釣用リール・アームの第２部分を受容すべく構成された第２挿入部分とを含む固着部分と、当該リールシートの当該本体部分の外側部分の少なくとも幾分かの回りに延在する凹状形成領域であって、深度と、凹状形成領域形状を画成する外周縁とを含む、という凹状形成領域と、を具備し得、前記凹状形成領域の近傍で前記本体部分を形成している材料とは異なる特性を有する材料を具備する把持部材であって、該把持部材の外周縁は前記凹状形成領域形状に対応し、該把持部材は、該把持部材が前記凹状形成領域内に固着される如く前記本体部分に対して固着される。
【０００６】
幾つかの実施例においては、釣り竿と共に使用されるリールシートを作成する方法が提供される。該方法は、第１端部及び第２端部を画成する本体部分であって、当該本体部分の前記第１端部から当該本体部分の前記第２端部まで延在し、釣り竿の取手部分を受容すべく構成された長手中空キャビティと、釣用リール・アームの第１部分を受容すべく構成された第１挿入部分と、釣用リール・アームの第２部分を受容すべく構成された第２挿入部分とを含む固着部分と、当該リールシートの当該本体部分の外側部分の少なくとも幾分かの回りに延在する凹状形成領域と、を具備する、という本体部分を配備する段階と；前記凹状形成領域の近傍で前記本体部分を形成している材料とは異なる特性を有する材料を具備する把持部材であって、該把持部材の外周縁は前記凹状形成領域形状に対応する、という把持部材を配備する段階と、前記把持部材が前記凹状形成領域内に固着される如く、前記把持部材を前記本体部分上に固着する段階と、を具備し得る。
【０００７】
幾つかの実施例においては、弾性インサートを備えたリールシートが提供される。該リールシートは、第１端部及び第２端部を画成する本体部分を具備し得る。前記本体部分は、該本体部分の前記第１端部から該本体部分の前記第２端部まで延在する長手中空キャビティであって、釣り竿の取手部分を受容すべく構成されたという長手中空キャビティを含み得る。前記本体部分はまた、釣用リール・アームの第１部分を受容すべく構成された第１挿入部分、及び、釣用リール・アームの第２部分を受容すべく構成された第２挿入部分も含み得る。前記本体部分はまた、前記リールシートの該本体部分の外側部分の少なくとも幾分かの回りに延在する凹状形成領域も含み得る。前記リールシートは更に、弾性材料を具備する把持部材であって、前記本体部分に対して装着されたときに該把持部材が前記凹状形成領域を実質的に満たす如く、前記本体部分の前記凹状形成領域に対応して形状化されたという把持部材を具備し得る。前記把持部材は、該把持部材が前記凹状形成領域を実質的に満たす如く前記本体部分に対して接着され得る。
【０００８】
幾つかの実施例において、前記リールシートは、釣り竿の取手部分に対して取付けられる。前記釣り竿は、前側グリップ、後側グリップ、及び、根元グリップを具備し得る。前記リールシートの前記把持部材は、前記前側グリップ、前記後側グリップ、又は、前記根元グリップの少なくとも一部の材料又は外観に対応し得る。
【０００９】
添付図面中には例示目的で種々の実施例が示されるが、決して、各実施例の有効範囲を制限すると解釈されてはならない。これに加え、開示された種々の実施例の種々の特徴は組み合わされることで、本開示内容の一部である付加的実施例を構成し得る。
【図面の簡単な説明】
【００１０】
【図１】把持表面を備えたリールシートを有する釣り竿の実施例の斜視図である。
【図２】把持表面を備えたリールシートを有する釣り竿の取手部分の実施例の斜視図である。
【図３】把持表面を備えたリールシートを有する釣り竿の取手部分の実施例の側面図である。
【図４】把持表面を備えたリールシートを有する釣り竿の取手部分の実施例の側面図である。
【図５】把持表面を備えたリールシートを有する釣り竿の取手部分の実施例の側面図である。
【図６】把持表面を備えたリールシートの実施例の斜視図である。
【図７】把持部材を受容すべく構成されたリールシートの実施例の側面図である。
【図８】把持表面を備えたリールシートの実施例の側面図である。
【図９】把持表面を備えたリールシートの実施例の背面図である。
【図１０】把持表面を備えたリールシートの実施例の前面図である。
【図１１】把持表面を備えたリールシートの実施例の底面図である。
【図１２】把持表面を備えたリールシートの実施例の平面図である。
【図１３】リールシートと共に使用されるべく構成された把持部材の実施例の概観図である。
【図１４】把持表面を備えたリールシートの実施例の斜視図である。
【図１５】把持表面を備えたリールシートの実施例の側面図である。
【図１６】把持部材を受容すべく構成されたリールシートの実施例の側面図である。
【図１７】把持表面を備えたリールシートの実施例の前面図である。
【図１８】把持表面を備えたリールシートの実施例の背面図である。
【図１９】把持表面を備えたリールシートの実施例の底面図である。
【図２０】把持表面を備えたリールシートの実施例の平面図である。
【図２１】リールシートと共に使用されるべく構成された把持部材の実施例の概観図である。
【図２２】把持表面を備えたリールシートの実施例の斜視図である。
【図２３】把持表面を備えたリールシートの実施例の側面図である。
【図２４】把持部材を受容すべく構成されたリールシートの実施例の側面図である。
【図２５】把持表面を備えたリールシートの実施例の前面図である。
【図２６】把持表面を備えたリールシートの実施例の背面図である。
【図２７】把持表面を備えたリールシートの実施例の平面図である。
【図２８】把持表面を備えたリールシートの実施例の底面図である。
【図２９】リールシートと共に使用されるべく構成された把持部材の実施例の概観図である。
【図３０】部分的に装着された把持部材を備えるリールシートの実施例、及び、リールシートに対して把持部材を装着する方法における一段階の斜視図である。
【発明を実施するための形態】
【００１１】
把持表面を備えるリールシート構成要素
娯楽である魚釣りにおいては、使用される多くの釣り竿が在る。最も一般的なグリップは、エチレン酢酸ビニル又はコルクを利用して把持表面を提供してきた。グリップに対する新たな改善によれば、釣り竿のグリップの種々の視覚的及び性能的な見地を増進するという、これまでは利用できない機会が導入されてきた。しかし、釣り竿のリールシートは、前記の新たな材料を利用する様には改変されてこなかった。
【００１２】
本明細書中に開示される一実施例においては、竿を通しての振動の伝達性を維持し乍ら、更に良好な快適さ及び制御性を提供する優れた把持表面を備えるリールシート、及び、斯かるリールシートを作製する方法が提供される。この概要に対し、本明細書においては、本発明の幾つかの見地、利点、及び、新規な特徴が記述される。必ずしも、斯かる利点の全てが、本発明の任意の特定の実施例に従って達成されるのでないことは理解される。故に、たとえば、当業者であれば、本発明は、本明細書において教示もしくは示唆され得る他の利点を必ずしも達成せずに、本明細書において教示される一つの利点又は一群の利点を達成する様式で具現もしくは実施され得ることを理解し得よう。
【００１３】
I．概要
本明細書中には、釣用リールを釣り竿に対して固着するために使用されるリールシート、斯かるリールシートを作成する方法、及び、斯かるリールシートが取付けられた釣り竿が開示される。幾つかの実施例において、本明細書中に開示されるリールシートは、釣竿からの振動の伝達性、美的外観、及び、快適な表面を提供するグリップ部分を有する。釣り竿は概略的に、該竿と共に動作する釣用リールを受容かつ固着すべく構成されたリールシートを含む。釣用リールは典型的に、該釣用リールのリール脚部を受容するリールシートにより、釣り竿に対して固着される。釣りをしている間、釣り人は多くの場合、竿の取手を通し、竿の振動の伝達を感じることを望んでいる。故にリールシートは多くの場合にグラファイト又はアルミニウムで作成されることで、竿のシャフトから釣り人の手に対する伝達を許容する。しかし、斯かるリールシートは、他の材料と比較して快適さを欠くことが多く、且つ、特に濡れたときに、釣り人に対して好適である粘着性を欠くこともある。本明細書中に開示される各実施例は、リールシート上に、快適で機能的であると共に、美的に優れた把持表面も提供し乍ら、該リールシートを通しての振動の伝達性を提供する。
【００１４】
本発明の各実施例は、リールシートの少なくとも一部上で十分な捩れ耐性を備えた軽量／低密度の把持表面を提供する。幾つかの実施例において、リールシートの完成グリップ部分は、リールを竿に対して保持するシートの構造部分に対して弾性的である弾性材料を含み得る。幾つかの実施例において、リールシートの完成グリップ部分は、EVA基部層に対して接着された組み合わせ式のポリウレタン／薄寸布地層を含み得る。幾つかの実施例において、これによれば、依然として、繊細な振動感覚と、濡れたときにでも水上に浮かび得る構造的な利点とを提供し乍ら、リールシートの表面上に、軽量な耐水性のグリップが提供され得る。
【００１５】
幾つかの実施例において、リールシートの表面は、補足的な把持材料を受容すべく構成され得る一つ以上の凹所を含み得る。たとえば、前記把持材料は、言及したことによりその全体が本明細書に組み入れられる特許文献１に記述されたものであり得る。幾つかの実施例において、前側グリップ、後側グリップ、及び／又は、根元グリップの把持材料は、同一もしくは同様の材料で作成され得る。幾つかの実施例において、前記把持材料は代替的に、射出成形、３Ｄ印刷、又は、別の適切なプロセスにより生成され得る。
【００１６】
図１は、本明細書に開示された如きリールシート１２を含む釣り竿１を示している。釣り竿は概略的に、竿の(幾つかの部材片であり得る)シャフト２、一連の鳩目もしくはラインガイド３、リールシート１２、及び、一連のグリップ６、８及び１０などの、幾つかの基本構成要素を有する。図１に示された取手は、前側グリップ６と、幾つかの実施例においては根元キャップ１０を含むべく分割され得る後側グリップ８とを含む。リールシート１２は、釣用リール４を受容して固着すべく構成される。リールシートは概略的に、釣用リールの脚部の一つの端部を各々が受容する２つの挿入部分を具備する。幾つかの実施例において、挿入部分の少なくとも一方は、釣用リールを所定位置に固着すべく調節可能である。幾つかの実施例において、挿入部分は、切欠きスリーブ、調節可能スリーブ、クランプ、又は、釣用リールの一端を所定位置に固着する別の機構を具備し得る。性能要件及び釣り人の嗜好性に基づいて選択され得る種々の形式の釣用リールが在る。リールの一般的な形式としては、たとえば、ベイトキャスト・リール、スピンキャスト・リール、スピニングリール、トローリング・リール、及び、フライリールが挙げられる。図１に示された実施例はスピニングリールを含むが、本明細書中に記述されるリールシートは、これらの形式の内の任意の形式の釣用リールを受容すべく構成され得る。
【００１７】
図２は、本明細書に開示された如くリールシート１２を含む釣り竿の取手部分の拡大図を示している。幾つかの実施例において、前記リールシートは、本体部分１６及び固着部分１４を含む。幾つかの実施例において実現される本体部分１６及び固着部分１４の各構成要素は、以下に詳細に記述される種々のサイズ及び設計態様の種々の釣用リールを受容すべく構成される。図３〜図５は、種々の釣用リールを受容すべく構成されたリールシートを備えた釣り竿を示している。図３は、ベイトキャスト・リール又はスピンキャスト・リールを受容すべく構成されたリールシート１２を備えた釣り竿の実施例を示している。図４及び図５は、スピニングリールを受容すべく構成されたリールシート１２を備えた釣り竿を示している。図３〜図５の実施例において示された如きリールシート１２は、優れた性能特性を提供する把持部材１８を含む。幾つかの実施例において、前記リールシートは、異なる構成を有し得るか、又は、種々の型式の釣用リールを受容すべく構成され得る。
【００１８】
幾つかの実施例において、把持部材１８は、釣り竿の前側グリップ６、後側グリップ８、又は、根元キャップ１０の把持部分１９として使用されたのと同一の材料で製造され得る。たとえば、図３は、前側グリップ６、後側グリップ８、リールシート１２、及び、根元キャップ１０の間の一つ以上の一貫した特性を備えた把持部材１８を有する釣り竿を示している。幾つかの実施例において、リールシート上に存在する把持部材１８は、取手の他の部分の設計態様に一致すべく構成されるが、異なる材料で作成され得る。幾つかの実施例において、たとえば図４に示された如く、把持部材１８は、前側グリップ６、後側グリップ８、又は、根元キャップ１０の把持部分１９として使用されたのとは異なる材料で作成され且つ異なる設計態様を有し得る。幾つかの実施例において、把持部材１８は、釣り竿取手の他の一定の把持部分に一致し得るが、取手部分の全てには一致しなくても良い。たとえば、図５に示された如く、把持部材１８は、後側グリップ８と同一もしくは同様の材料又は設計態様を使用するが、根元グリップ１０と同一もしくは同様の材料又は設計態様は使用しない。
【００１９】
幾つかの実施例において、把持部材１８は、リールシート１２に対して結合され、接着され、又は、別様に取付けられ得る薄寸の可撓パネルを具備し得る。把持部材１８は、幾つかの実施例において、リールシート１２に対して取付けられるべく構成された射出成形ポリマで作成され得る。幾つかの実施例において、把持部材１８は、リールシート１２に対して取付けられる硬質プラスチックの如き堅固な構成要素として製造され得る。幾つかの実施例において把持部材１８に使用され得る例示的な材料は、以下において更に記述される。幾つかの実施例において、把持部材１８は、相互に取付けられることでリールシート１２に対する所望の形状を形成する数個の部材片で製造され得る。たとえば、把持部材１８は、接続されたときにリールシート１２の所望形状を形成する頂部部分及び底部部分、又は、左右の部分として製造され得る。幾つかの実施例において、把持部材１８は、所望の箇所においてリールシート１２上に成膜される。
【００２０】
幾つかの実施例、実例、及び、図示内容が開示されるが、当業者であれば、本明細書中に記述された発明は、特に開示された実施例、実例、及び、図示内容を越えて及ぶと共に、発明の他の用法、及び、その自明な改変物及び均等物を包含することは理解される。本発明の各実施例は、全体に亙り同様の番号が同様の要素を参照するという添付図面に関して記述される。本明細書中に呈される説明において使用される用語は、何らかの制限された又は限定的な様式で解釈されることは意図されない、と言うのも、単に、それは本発明の一定の特定実施例の詳細な説明に関して使用されるからである。これに加え、本発明の各実施例は幾つかの新規な特徴を具備し得るのであり、何らかの単一の特徴のみが、その好適な属性の原因となるのではなく、あるいは、本明細書中に記述される発明の実用化に必須となるのでもない。
【００２１】
II．ベイトキャスト・リールシート
図６〜図１２に示された如き幾つかの実施例において、本明細書中に開示されるリールシートは、ベイトキャスト・リールを受容して固着すべく構成され得る。斯かる実施例又は同様の実施例は、スピンキャスト・リールを受容して固着するようにも構成され得る。幾つかの実施例において、リールシート１２は、本体部分１６及び固着部分１４を具備する。幾つかの実施例において、前記本体部分は、前記固着部分の一部又は全てを含む。本体部分１６は、螺条付き領域２０と、リール脚部受容領域２２と、トリガ２４と、長手キャビティ２８と、把持部材１８を受容すべく構成された凹状形成受容部分２６とを具備し得る。図６〜図１２に示された如く、本体部分１６は、第１端部及び第２端部を画成し得る。幾つかの実施例において、前記第１端部は把持部分１９に対して固定される。幾つかの実施例において、前記第１端部は、釣り竿１の取手部分に対して直接的に固定され得る。前記本体部分１６の第２端部は、調節可能であり得る。幾つかの実施例において、前記第２端部は、複数の異なる前側グリップの内の一つの前側グリップを受容すべく構成され得る。以下で論じられる如く、前記第２端部は、螺条付き領域２０を含み得る。
【００２２】
固着部分１４は、第１挿入部分及び第２挿入部分を具備し得る。前記第１挿入部分は、釣用リール・アームの第１部分を受容すべく構成され得る。前記第２挿入部分は、釣用リール・アームの第２部分を受容すべく構成され得る。前記第１挿入部分は、前記第２挿入部分よりも、本体部分１６の第１端部に接近して配設され得る。前記第１挿入部分は、前記本体部分に対して固定され得る。幾つかの実施例において、前記第１挿入部分は、リールシート１２の本体部分１６に沿って長手方向に平行移動すべく構成され得る。前記第１挿入部分は、前記第２挿入部分とは逆側に位置され得る。前記第２挿入部分はリールシート１２の本体部分１６に沿って長手方向に平行移動すべく構成され得る。幾つかの実施例において、前記固着部分は、調節可能スリーブ３０及び固着用ナット３２を具備し得る。本体部分１６は、基本的に、アルミニウム、グラファイト、ポリマ材料、又は、他の材料から構成され得る。固着部分１４は、前記本体部分と同一材料から構成され得るが、他の材料から構成されても良い。
【００２３】
本体部分１６は、釣り竿１の取手部分を受容すべく構成された内部長手キャビティ２８を具備する。長手キャビティ２８は、前記本体部分の第１端部から、該本体部分の第２端部まで延在し得る。幾つかの実施例において、内部長手キャビティ２８は、形状が実質的に円筒状であり得る。たとえば、幾つかの実施例において、内部キャビティ２８は、互換的な釣り竿の取手部分と実質的にサイズが同様である内径を有することで、前記釣り竿に対する前記リールシートの設置を可能とし得る。幾つかの実施例において、内部キャビティ２８は、互換的な釣り竿の取手部分よりも大きな直径を有することで、種々のサイズの釣り竿を受容し得る。幾つかの実施例において、長手キャビティ２８は実質的に平行であり、他の実施例において、前記キャビティはテーパ付けされることで、特定の釣り竿取手を収容して確実に嵌合し得る。幾つかの実施例において、テーパ付けされた長手キャビティは、リールシートの取手に沿う適切な箇所に該リールシートを位置決めすることを好適に支援し得る。幾つかの実施例において、長手キャビティ２８は、リールシートが釣り竿上に取付けられたときに釣り竿の一部を露出する一つ以上の切欠き部分２９を有し得る。好適には、一つ以上の切欠き部分２９は、リールシートが取付けられた釣り竿を用いる釣り人が、釣りを行うとき、自身が釣り竿を直接的に感じ得る如く、位置決めされ得る。これにより、釣り竿から釣り人に対する振動の直接的な伝達が可能とされ得る一方、釣り人はまた、リールシート１２に取付けられた快適な把持部材１８を実質的に把持もし得る。幾つかの実施例において、前記本体部分は、この特徴を提供すべく、且つ、リールシートの全体的な重量を減少すべく、２つの別個の部材片へと分割され得る。
【００２４】
幾つかの実施例において、ベイトキャスト・リールを固着すべく構成されたリールシート１２の本体部分１６は、指用部分も含み得る。幾つかの実施例において、前記釣用リールシートは、釣り人の持ち手の一本以上の指を受容すべく構成された複数の指用部分を含み得る。たとえば、図７に示された如く、前記指用部分は、複数の指用部分の内の第１指用部分及び第２指用部分を含み得る。前記第１指用部分は、トリガ２４を含み得る。トリガ２４は、釣り人の手の第１指を受容すべく構成され得る。幾つかの実施例において、トリガ２４は、釣り人の手の複数の指を受容すべく構成され得る。トリガ２４は、互換的な釣用リールが固着されたとき、釣り人が、自身の持ち手の一本以上の指により前記トリガ部分を自然に把持し得る如く、リールシート１２上に位置決めされ得る。図６〜図１２に示された如く、たとえば、トリガ２４は、前記本体部分から下方に延在し得る。トリガ２４は、前記本体部分の周縁部の下方に延在し得る。幾つかの実施例において、トリガ２４は、前記本体部分の周縁部の下方に、本体部分１６の外径の長さの略々２／３の距離だけ延在し得る。
【００２５】
幾つかの実施例において、トリガ２４は中実の特定構造であり得る。幾つかの実施例において、トリガ２４は、代替的に、中実の特定構造の代わりに、中空又は部分的に中空の特定構造であり得る。たとえば、図７に示された如く、トリガ２４は中空部分２５を含む。開示された如きリールシートの種々の実施例において、前記トリガは、種々の形状及びサイズの中空部分を具備し得る。前記トリガの中空部分を含めると、前記リールシートの全体的な重量、及び、リールシートを製造するために必要とされる材料が減少され得る。これに加え、中空部分は美観的に好ましくあり得る。幾つかの実施例において、前記第２指用部分は、切欠き部分２９を含み得る。図７に示された如く、切欠き部分２９は、釣り人の手の第２指を受容すべく構成され得る。
【００２６】
開示された如きリールシートの本体部分１６は、互換的な釣用リールの脚部分を受容すべく構成された脚部受容領域２２を含む固着部分１４を具備する。幾つかの実施例において、リールシート１２の脚部受容領域２２は、たとえば他端上の調節可能スリーブ３０などの第２挿入部分に対向する一端における、たとえば切欠きスリーブ３４などの第１挿入部分を備えた実質的に平坦な部分であり得る。幾つかの実施例において、前記切欠きスリーブ及び前記調節可能スリーブは、前記リールシートの各端部上に在り得る。幾つかの実施例において、釣用リールを受容すべく、他の挿入部分、又は、挿入部分の組み合わせが使用され得る。たとえば、前記リールシートは、複数の調節可能スリーブ、切欠きスリーブとクランプ、クランプと調節可能スリーブ、又は、他の組み合わせを含む。前記平坦部分は、互換的な釣用リールの脚部と形状及びサイズが同様であり得る。切欠きスリーブ３４は、釣用リール脚部の片側を受容すべく形状化され得る。幾つかの実施例において、前記切欠きスリーブは、テーパ付けされることで、種々のサイズの脚部を備えた釣用リールを確実に結着し得る。
【００２７】
幾つかの実施例において、切欠きスリーブ３４と対向し、釣用リール脚部の他端を受容すべく整列された調節可能スリーブ３０が在り得る。調節可能スリーブ３０は、前記リールシートの本体部分の外側幾何学形状と実質的に同一のサイズ及び形状の内側幾何学形状を有し得る。調節可能スリーブ３０は、釣用リール脚部の一端を受容すべく構成された脚部受容部分を含み得る。幾つかの実施例において、調節可能スリーブ３０と本体部分１６との間の間隙であって、互換的な釣用リールの脚部の一部を受容すべく構成され得るキャビティ３６を生成するという間隙が在る如く、調節可能スリーブ３０は、本体部分１６の外側幾何学形状を径方向に越えて延在すべく構成された部分を含み得る。調節可能スリーブ３０のキャビティ３６は、前記リールシートの切欠きスリーブ３４とサイズが実質的に同様であり得る。幾つかの実施例において、前記リールシートは、一つの切欠きスリーブ３４及び一つの調節可能スリーブ３０を配備する代わりに、相互に対向する夫々のキャビティ３６を備える２つの調節可能スリーブ３０を具備する。
【００２８】
幾つかの実施例において、調節可能スリーブ３０は、該調節可能スリーブ３０を切欠きスリーブ３４に対して整列させるべく構成された整列用隆起部３８も含み得る。整列用隆起部３８は、リールシート１２の本体部分１６上に配置された整列用凹所４０内を辿るべく構成される。各図に示された如く、前記隆起部はキャビティ３６に対して径方向に逆側に載置されるが、該隆起部３８は前記調節可能スリーブ上の他の箇所に載置され得る。幾つかの実施例において、調節可能スリーブ３０は、整列用隆起部３８を有さなくても良く、又は、一つより多い整列用隆起部３８を有し得る。幾つかの実施例において、調節可能スリーブ３０は、整列用隆起部の代わりに整列用凹所を有する。幾つかの実施例において、前記リールシートの本体部分は、整列用凹所の代わりに整列用隆起部を含み得る。幾つかの実施例において、前記調節可能スリーブは単一の材料から構成される。幾つかの他の実施例において、前記調節可能スリーブは、一種類より多い種類の材料から構成される。たとえば、調節可能スリーブ３０は基本的にプラスチック材料から構成され得るが、付加的な支持のためにアルミニウム支持リングを具備し得る。幾つかの実施例において、支持リングは他の材料から構成され得る。
【００２９】
前記調節可能スリーブは、固着用ナット３２を用いて、前記切欠きスリーブに更に接近し、又は、更に離間して調節され得る。固着用ナット３２は、本体部分１６の螺条付き領域２０上の螺条に嵌合すべく構成される。幾つかの実施例において、調節可能スリーブ３０が、固着用ナット３２が時計方向に旋回されたときには一方向に、且つ、固着用ナット３２が反時計方向に旋回されたときには他方向に、本体部分１６に沿って移動する如く、固着用ナット３２は調節可能スリーブ３０に対して取付けられ得る。幾つかの実施例において、固着用ナット３２は、調節可能スリーブ３０に対して取付けられなくても良いが、調節可能スリーブ３０を釣用リール脚部の一部上に固着すべく構成され得る。固着用ナット３２及び調節可能スリーブ３０は、同一材料又は異なる材料から構成され得る。幾つかの実施例において、釣り竿１の前側グリップ６は、固着用ナット３２が前側グリップ６の少なくとも一部上に嵌合し得る如く構成される。これにより、更に大寸のリールシートを必要とせずに、更に大寸の釣用リールを装着することが可能とされ得る。たとえば、固着用ナット３２が前側グリップ６に嵌合しないなら、切欠きスリーブ３４と調節可能スリーブ３０との間の距離は、リールシート１２の長さにより制限される。しかし、前記固着用ナットが前記前側グリップの第１部分上に嵌合するなら、切欠きスリーブ３４と調節可能スリーブ３０との間の間隔は、それが、リールシート１２の長さと、固着用ナット３２が嵌合する前側グリップ６の付加的領域３３とにより制限される如く、延長される。
【００３０】
リールシート１２の本体部分１６はまた、把持部材１８を受容すべく構成された凹状形成領域２６も含み得る。凹状形成領域２６は、釣り人が釣り竿を使用しているときに釣り人の手に対して把持部材１８を呈示する如き様式で、本体部分１６上に位置決めされ得る。凹状形成領域２６はまた、美観的に好ましい構成を提供する様式にても、本体部分１６の回りに配置され得る。図７及び図８に示された如く、幾つかの実施例において、凹状形成領域２６は、それが受容すべく構成された把持材料１８の厚みTと実質的に同一の深度Dである。これにより、把持材料がリールシートに対して取付けられた後、把持材料を備えるリールシートの部分から、把持材料のない部分への円滑な遷移が提供される。たとえば、図８の箇所４０Ａ、４０Ｂ、４０Ｃ及び４０Ｄに示された如く、把持部材１８から、リールシートの本体部分１６の対応する非凹状形成部部への遷移である。凹状形成領域２６は、約１mm〜２mmの深度であり得る。幾つかの実施例において、前記凹所は、取付けられるべき材料の厚み、又は、たとえば、振動の伝達又は快適さの如き所望のグリップ特性を提供する厚みに依存して、更に浅底又は更に深底とされ得る。把持部材１８は好適には、竿上にリールを確かに支持するはずの堅固で構造的に堅牢な主要部分とは対照的に、本体部分１６上に快適な、及び／又は、美観的に好ましい表面を提供する。
【００３１】
幾つかの実施例において、たとえば、図６〜図１２に示された如く、凹状形成領域２６は親指部分を含み得る。幾つかの実施例において、前記親指部分は、把持部材１８を受容することで、釣り人の親指に対して自然な着座位置にて把持表面を呈すべく形状化される。たとえば、図１２の領域４２Ａにて示された如く釣り人の親指に対する自然な着座箇所が、釣り人に対して呈される。図１２に示された如く、前記親指部分は、本体部分１６の長さの約半分未満であり得る。幾つかの実施例において、前記親指部分は、前記固着部分の長さの半分未満である。幾つかの実施例において、凹状形成領域２６はまた、把持部材１８が、釣り人が取手を保持するであろう箇所にて竿の取手部分の回りにグリップを提供する形態にて、リールシート１２の回りに把持表面を呈する様にも構成される。たとえば、図１１の領域４２Ｂにおいて示された如く、把持部材１８は、釣り人が把持表面上で前記取手を把持し得る如く、凹状形成領域２６に嵌合する。幾つかの実施例において、前記凹所は、前記トリガ上に、又は、リールシートの底部に沿い、又は、リールシートの他の任意の部分上に、把持部分が提供され得る如く、構成され得る。
【００３２】
図６〜図１２に示された如く、前記親指部分は、リールシート１２の本体部分１６の第１側面上に配設される。前記本体部分の第１側面は、該本体部分１６の長手軸心であって、該本体部分１６の第１端部から第２端部までリールシート１２の中心を貫通して延在するという長手軸心の上方に配設され得る。前記親指部分は、本体部分１６の第１端部から第２端部に向けて延在し得る。幾つかの実施例において、前記親指部分は前記長手軸心に対して平行である。幾つかの実施例において、前記親指部分は、前記第１側面から前記本体部分の第２側面に向けて延在する。図６〜図１２に示された如く、前記親指部分は、前記指用部分とは逆側に位置され得る。たとえば、前記指用部分は、本体部分１６の第２側面上に位置され得る。本体部分１６の第２側面は、該本体部分１６の長手軸心の下方に配設され得る。本体部分１６の第２側面は、該本体部分の第１側面とは逆側に配設され得る。前記親指部分は、本体部分１６の第１端部から、前記指用部分の一部上へと延在し得る。幾つかの実施例において、前記親指部分及び前記指用部分は、重なり合わない。図１３は、図６〜図１２に示された如きリールシート１２の本体部分１６に対して取付けられるべく構成された把持部材１８の形状の実施例を示している。幾つかの実施例において、把持部材１８は、リールシートの異なる凹状形成領域２６又は異なる本体部分２６に一致すべく、異なる形状である。幾つかの実施例において、前記把持部材の外周縁は、凹状形成領域形状に対応し得る。図１３に示された如く、把持部材１８は、リールシート１２の回りに巻回され得る平坦形状で製造されるか、又は、本体部分１６の設計態様に適合すべく別様に形状化され得る。図１３に示された如く、把持部材１８は、基礎部分、及び、一つ以上の延長部分を含み得る。前記基礎部分は、リールシート１２の本体部分１６の第１端部の近傍の箇所にて、該本体部分の回りに巻回され得る。幾つかの実施例において、前記基礎部分は、前記本体部分の一部の回りにのみ巻回される。幾つかの実施例において、前記基礎部分は、本体部分１６の回りに巻回されて継目４４を形成する。幾つかの実施例において、把持部材１８の各延長部分は、前記基礎部分から前記本体部分の第２端部に向けて延在し得る。幾つかの実施例において、各延長部分は、前記本体部分に沿い、該本体部分の垂直軸心に直交して延在する。幾つかの実施例において、各延長部分は、内方に角度付けられて、前記本体部分に沿って延在する。幾つかの実施例において、各延長部分は、本体部分１６の相当の長さに沿って延在する。各延長部分の一部は、本体部分１６の長手軸心の上方に配設され得る。幾つかの実施例において、各延長部分は全体的に、本体部分１６の長手軸心の上方に配設される。
【００３３】
幾つかの実施例において、把持部材１８は、立体的な把持部分を形成する方法により製造され得る。把持部材１８は、凹状形成領域２６内に固着すべく構成され得る。幾つかの他の実施例において、前記把持部材は、それが製造の間においてリールシートに対して固着される如く製造され得る。たとえば、把持部材１８は、凹状形成領域２６内に直接的に成膜された材料から作成され得る。幾つかの実施例において、把持部材１８は、凹状形成領域２６の近傍で本体部分１６を形成している材料とは異なる特性を有する材料を具備する。幾つかの実施例において、凹状形成領域２６、及び、対応する把持部材は、図６〜図１２に示された領域に加えて、又は、代替的に、前記リールシートのトリガ２４上に把持表面を生成する形状で構成され得る。幾つかの実施例において、調節可能スリーブ３０及び／又は固着用ナット３２もまた、把持部材を受容する凹状形成領域を備えて構成され得る。
【００３４】
前記で論じられた如く、凹状形成領域２６及び／又は把持部材１８は、リールシート１２の異なる形状の本体部分２６に対応すべく、又は、本体部分２６の異なる部分を覆うべく、異なる形状であり得る。図７に示された如く、たとえば、凹状形成領域２６は、本体部分２６の一部を覆い得る。幾つかの実施例において、第１凹状形成領域２６は、前記第１挿入部分の少なくとも一部上に延在する。幾つかの実施例において、凹状形成領域２６は、前記本体部分の表面積の少なくとも１／３を覆う。幾つかの実施例において、凹状形成領域２６は、前記本体部分の表面積の少なくとも１／１０、１／９、１／８、１／７、１／６、１／５、１／４、及び／又は、１／２を覆う。幾つかの実施例において、凹状形成領域２６は、前記本体部分全体を覆う。幾つかの実施例において、前記凹状形成部分の大部分は、本体部分１６の長手軸心の上方に配設される。
【００３５】
III．スピニングリールシート
幾つかの実施例において、本明細書に開示されたリールシートは、スピニングリールを受容すべく構成され得る。スピニングリールを受容すべく構成された実施例は、本明細書中に開示された他の実施例と同様に、幾つかの実施例においてはフライロッドにも対処し得る。図１４〜図２１は、幾つかの実施例において実現されるスピニングリールを受容すべく構成されたリールシートを示し、且つ、図２４〜図２９は、幾つかの他の実施例において実現されるスピニングリールを受容すべく構成されたリールシートを示している。図１４〜図２９は、前記で論じられた図１〜図１３に示されたリールシートと、多くの観点において同様もしくは同一であるリールシートの実施例を示している。たとえば、図１４〜図２９に示されたリールシートは、本体部分１６及び固着部分１４を含み得る。幾つかの実施例において、前記本体部分は、前記固着部分を含んでいる。本体部分１６は、螺条付き領域２０と、長手キャビティ２８と、把持部材１８を受容すべく構成された凹状形成グリップ受容部分２６とを具備し得る。把持部材１８は、該把持部材を通して振動の伝達を提供することで釣り人が釣り竿の動きを正確に感じることを可能とし乍ら、優れた把持性能を提供すべく構成され得る。図１４〜図２９に示されたリールシートは、上述されたリールシートの各特徴の内の任意の一つの特徴、又は、任意の組合せを含み得る。
【００３６】
前記で論じられた如く、幾つかの実施例において、リールシートは、本体部分１６及び固着部分１４を含んでいる。図１４〜図２９に示された如く、本体部分１６は、第１端部及び第２端部を画成し得る。幾つかの実施例において、前記第１端部は本体部分１６に対して固定される。幾つかの実施例において、前記第１端部は、釣り竿１の取手部分に対して直接的に固定され得る。本体部分１６の第２端部は、調節可能であり得る。幾つかの実施例において、前記本体部分の第２端部は固定される。幾つかの実施例において、前記第２端部は、一つの前側グリップ、又は、複数の異なる前側グリップを受容すべく構成され得る。前記第２端部は、螺条付き領域２０を含み得る。
【００３７】
固着部分１４は、第１挿入部分及び第２挿入部分を具備し得る。前記第１挿入部分は、釣用リール・アームの第１部分を受容すべく構成され得る。前記第２挿入部分は、釣用リール・アームの第２部分を受容すべく構成され得る。前記第１挿入部分は、前記第２挿入部分よりも、本体部分１６の第１端部に対して更に接近して配設され得る。前記第１挿入部分は、前記本体部分に関して固定され得る。幾つかの実施例において、前記第１挿入部分は、リールシート１２の本体部分１６に沿って長手方向に平行移動すべく構成され得る。前記第１挿入部分は、前記第２挿入部分とは逆側に位置され得る。前記第２挿入部分は、リールシート１２の本体部分１６に沿って長手方向に平行移動すべく構成され得る。
【００３８】
幾つかの実施例において、固着部分１４は、調節可能スリーブ３０及び固着用ナット３２を含み得る。幾つかの実施例において、固着部分１４、調節可能スリーブ３０及び固着用ナット３２は、ベイトキャスト・リールを受容すべく構成されたリールシートの実施例に関して前記に開示されたものと同一もしくは同様であり得る。図１４〜図１６に示された如く、調節可能スリーブ３０は、本体部分の１／２未満の長さを有し得る。幾つかの実施例において、調節可能スリーブ３０の長さは、本体部分１６の長さの約１／４である。調節可能スリーブ３０は、第１側面及び第２側面を含み得る。調節可能スリーブ３０の第１側面は、本体部分１６の第２端部に向けてテーパ付けされ得る。幾つかの実施例において、調節可能スリーブ３０の第２側面は、本体部分１６の長手軸心に対して実質的に平行である。幾つかの実施例において、調節可能スリーブ３０の第２側面は、本体部分１６の第２側面に対して実質的に平行である。図１４〜図１６に示された如く、前記固着部分は、釣用リールの脚部の第２端部を受容すべく構成されたキャビティ３６を形成し得る。幾つかの実施例において、固着部分１４は、上述されたベイトキャスト・リールを受容すべく構成されたものと比較して、スピニングリールを受容すべく構成された実施形態に対して更に大寸もしくは更に小寸であり得る。幾つかの実施例において、調節可能スリーブ３０と本体部分１６との間に形成されたキャビティ３６は、ベイトキャスト・リールを受容すべく構成された実施例において使用されたのと異なる形状もしくはサイズであり得る。
【００３９】
幾つかの実施例において、図１４〜図２０に示された実施例において示された如く、リールシートは、釣用リールの脚部の第１端部を受容すべく構成された第２スリーブ３１を具備し得る。幾つかの実施例において、前記固着部分の第１挿入部分は、釣用リールの脚部の第１端部を受容すべく構成された第２スリーブ３１を具備し得る。幾つかの実施例において、前記固着部分の第１挿入部分は、釣用リールの脚部の第１端部を受容すべく構成されたキャビティ３７を形成し得る。幾つかの実施例において、第２スリーブ３１は、調節可能スリーブ３０と形状及びサイズが同一もしくは同様であり得る。図１４〜図１６に示された如く、第２スリーブ３１は、第１側面及び第２側面を含み得る。第２スリーブ３１の第１側面は、本体部分１６の第１端部に向けてテーパ付けされ得る。幾つかの実施例において、第２スリーブ３１の第２側面は、本体部分１６の長手軸心に対して実質的に平行である。幾つかの実施例において、第２スリーブ３１の第２側面は、本体部分１６の第２側面に対して実質的に平行である。幾つかの実施例において、第２スリーブ３１は、本体部分１６の一部であり得るか、又は、本体部分１６に対して永続的に取付けられた別体的な部材片であり得る。幾つかの実施例において、第２スリーブ３１は、調節可能であり、且つ、釣用リールを固着すべく独立的に調節され得る。第２スリーブ３１は、釣用リールの脚部が、調節可能スリーブ３０により形成されたキャビティ３６と、第２スリーブ３１により形成されたキャビティ３７との間に固着され得る如く、調節可能スリーブ３０と整列され得る。
【００４０】
幾つかの実施例において、リールシート１２の本体部分１６は、補足的な把持部材１８を受容すべく構成された凹状形成領域２６を具備し得る。図１６及び図２４に示された如く、凹状形成領域２６は、リールシート上で、釣りをしている間に釣り人が釣り竿を自然に保持する箇所に位置決めされ得る。幾つかの実施例において、固着部分１４は、本体部分１６の第１側面上に位置決めされ得る。斯かる実施例において、前記凹状形成部分は、本体部分１６の第１側面から、該第１側面とは逆側である本体部分の第２側面まで延在し得る。たとえば、凹状形成領域２６は、釣り竿によりキャスティング及び回収動作を実施する間に、釣り人の手の掌が把持部材１８に接触する如く、把持部材１８を受容すべく構成され得る。幾つかの実施例においては、本体部分１６が親指部分を含む。幾つかの実施例においては、第２スリーブ３１が親指部分を含み得る。前記親指部分は、第２スリーブ３１の第１側面に沿って配設され得る。前記親指部分は、実質的に平坦であり得る。幾つかの実施例において、前記親指部分は、前記本体部分の第１端部に向けてテーパ付けされ得る。
【００４１】
幾つかの実施例において、図１６に示された如く、前記凹状形成部分は、リールシート１２の外側部分の回りに部分的に巻回される把持部材１８を受容すべく構成される。幾つかの実施例において、前記把持部材は、取付けられた釣用リールの脚部が、該釣用リールの脚部を受容すべく構成されたリールシート１２の中実部分に当接して固着される様に、リールシートの回りに全体的に巻回されなくても良い。幾つかの実施例において、凹状形成部分２６は、リールシート１２の回りに巻回された把持部材１８を受容すべく構成され得る。把持部材１８は、該把持部材１８が凹状形成領域２６内に固着される如く、本体部分１６に対して固着され得る。これにより、把持部材１８は、リールシート１２の回りに巻回され、且つ、継目にて一端を他端に接続して確実な接続を生成する機能が提供され得る。幾つかの実施例においては、凹状形成領域２６の一部のみが、リールシート１２の回りに完全に巻回され得る。
【００４２】
図１４〜図１９に示された如く、凹状形成領域２６は、本体部分１６に沿って種々の長さで延在し得る。たとえば、凹状形成領域２６は、本体部分１６の第１端部から第２端部に向けて、該本体部分に沿って相当の長さに亙り延在し得る。幾つかの実施例において、凹状形成領域２６は、第２スリーブ３１から前記第２端部に向けて本体部分１６に沿い相当の長さに亙り延在する。幾つかの実施例において、凹状形成領域２６は、本体部分１６の長さの約１／２だけ延在する。幾つかの実施例において、凹状形成領域２６は、本体部分１６の長さの約３／４だけ延在する。更なる他の実施例において、凹状形成領域２６は、本体部分１６の長さの約１／４だけ延在する。
【００４３】
幾つかの実施例において、前記凹状形成部分は、深度が０.１mm〜１mmであり得る。幾つかの実施例において、前記凹状形成部分は、深度が１mm〜２mmであり得る。幾つかの実施例において、凹状形成領域２６の深度は、該凹状形成領域全体を通して同一もしくは実質的に同様であり得、幾つかの実施例において、凹状形成領域２６の異なる部分は異なる深度を有し得る。これにより、たとえば、リールシートの種々の部分に対する最適な性能特徴が提供され得る。たとえば、把持部材１８は、凹状形成領域２６の深度に合致すべく、異なる厚みを有し得る。そのときに前記把持部材は、リールシートの他の部分を通して更に良好な振動の検出性を提供し乍ら、リールシートの幾つかの部分にて更に良好な把持性及び快適さを提供し得る。
【００４４】
幾つかの実施例において、図２２〜図２９に示された実施形態において示された如く、リールシート１２の脚部受容領域は、実質的に平坦な部分を含み得る。リールシート１２の脚部受容領域は、一端上に、他端上の調節可能スリーブ３０に対向する切欠きスリーブ３４を含み得る。故に、示された如く、幾つかの実施例において、固着部分１４は固定端部及び調節可能端部を有し得る。
【００４５】
前記平坦部分は、互換的な釣用リールの脚部と形状及びサイズが同様であり得る。切欠きスリーブ３４は、釣用リール脚部の片側を受容すべく形状化され得る。幾つかの実施例において、切欠きスリーブ３４は、種々のサイズの脚部を備える釣用リールを確実に締着すべく、テーパ付けされ得る。幾つかの実施例において、切欠きスリーブ３４は、前記固着部分の第１挿入部分を含み得る。切欠きスリーブ３４は、釣用リールの脚部の第１端部を受容すべく構成され得る。
【００４６】
幾つかの実施例において、図２２〜図２９に示された如く、凹状形成領域２６の一部はリールシート１２の回りに延在する一方、凹状形成領域２６の他の部分は、前記リールシートの回りに延在しない。幾つかの実施例において、凹状形成部分２６は、本体部分１６の第１側面に沿って親指部分を含み得る。幾つかの実施例において、把持部材１８は、本体部分１６の第１側面に沿って親指部分を含み得る。図２２〜図２９に示された如く、前記親指部分は、把持部材１８の第１側面に沿い、本体部分１６の第１端部に向けて配設され得る。前記親指部分は、前記第１端部から本体部分１６の第２端部に向けて延在し得る。前記親指部分は、前記第１端部から前記本体部分の第２端部に向けて上方にテーパ付けされ得る。幾つかの実施例において、前記親指部分は実質的に平坦である。図２２〜図２９に示された如く、前記親指部分は、本体部分１６に沿って種々の距離に亙り延在し得る。たとえば、前記親指部分は、前記平坦部分の長さと略々等しい長さに亙り延在し得る。幾つかの実施例において、前記親指部分は、凹状形成領域２６及び／又は把持部材１８の長さの約１／２の長さに亙り延在し得る。幾つかの実施例において、前記親指部分は、凹状形成領域２６及び／又は把持部材１８の長さの約１／２未満の長さに亙り延在し得る。凹状形成領域２６及び／又は把持部材１８は、実質的に本体部分１６の長さに亙り延在し得る。幾つかの実施例において、凹状形成領域２６は、本体部分１６の長さの約１／２に亙り延在する。幾つかの実施例において、凹状形成領域２６は、本体部分１６の長さの約３／４に亙り延在する。
【００４７】
図２２〜図２９に示された如く、本体部分１８の第２側面は、実質的に平坦であり得る。斯かる実施例において、本体部分１８の第２側面は、前記平坦部分に対して略々平行であり得る。
【００４８】
幾つかの実施例において、把持部材１８は、リールシート１２の凹状形成領域２６の表面に対し、接着され、結合され、又は、別様に取付けられ得る。これに加え、把持部材１８の各端部は、継目４４にて取付けられ得る。幾つかの実施例において、把持部材１８は、図２９に示された如き平坦パネルとして製造され得る。前記パネルは、凹状形成領域２６に嵌合する形状で構成され得る。幾つかの実施例において、前記パネルは、凹状形成領域２６の深度と実質的に同様の厚みであり得る。幾つかの実施例において、前記パネルは、実質的に均一な厚みである。幾つかの他の実施例において、前記パネルは、把持部材１８の把持表面の異なる領域が、釣り人に対して異なる有用な特性を提供する如く、変化する厚みを有し得る。
【００４９】
IV．把持部材
幾つかの実施例において、前記に記述され且つ図６〜図１３に示されたベイトキャストリールシート、及び、前記に記述され且つ図１４〜図２９に示されたスピニングリールシートの実施例の如きリールシートに対して取付けられた把持部材は、種々の材料で作成されて、釣り人に対して所望される性能特性を提供し得る。たとえば、幾つかの実施例において、前記把持部材は、重量が軽く且つ水分の吸収を減少もしくは排除するグリップを提供し得る。幾つかの実施例は、グリップの重量／密度を最小限とし乍ら、粘着性の感覚を提供する。本明細書中に記述されるグリップの幾つかの実施例は、エチレン酢酸ビニル(EVA)であり得る弾性的な基部又は下張りと、EVA内側又は裏打ち層を含む把持部分とを含む。幾つかの実施例において、前記把持部材は、複数の層を含み得る。たとえば、幾つかの実施例において、前記把持部分は、EVA内側層に対して結合されたポリウレタンと薄寸布地層との組み合わせ物を含み得る。前記布地層は、ポリウレタンで含浸され得る。幾つかの実施例において、前記ポリウレタンは、含浸された布地層の外側に配設された織布メッシュ層を更に含む。
【００５０】
幾つかの実施例において、把持部材１８は、リールシート１２に対して装着されたとき、それの凹状形成領域２６に概略的に対応すべく形状化される。幾つかの実施例において、図３０に示された如く、(たとえば図２９に示された如く)パネルの形態の把持部材１８は、リールシート１２の凹状形成領域２６の回りに重ね付けられ、又は、巻回され得る。平坦なパネルをリールシートの回りに重ね付け又は巻回すると、リールシートの長手軸心に実質的に平行な継目が形成される。幾つかの実施例において、前記継目に依れば、把持部材１８の種々の材料層が同様の材料層に対して結合されることが可能とされ得る。幾つかの実施例において、把持部材１８の幾つかの縁部は、斜断され得る。たとえば、継目４４に遭遇する把持部材１８の縁部は、継目４４に沿い、同様の層に概略的に接触している同様の層と重なり合うために、斜断され得る。
【００５１】
幾つかの実施例において、斯かる継目４４は、好適には把持部材１８を貫通延在する縫い糸により縫い閉じられる。幾つかの実施例において、把持部材１８は、種々の層を具備し得る。斯かる実施例において、継目における縫い糸は、把持部材１８の層の各々を貫通延在し得るか、又は、幾つかの層のみを貫通して延在し得る。たとえば、把持部材１８は、ポリウレタン層及びEVA層を具備し得る。前記ポリウレタン層は、ポリウレタン／フェルト層を含んでも良く、含まなくても良い。幾つかの実施例において、前記縫い糸は、ポリウレタン又はポリウレタン／フェルト層のみを貫通して延在し、EVA層は貫通延在しない。幾つかの実施例において、前記把持部材は、外側面を内向きとして裏返しで縫い合わされ得ると共に、継目４４を縫い合わせた後、把持部材は、それがリールシート１２に対して装着されるとき、完成したリールシート１２上で前記外側面が外方を向く如く、反転され得る。たとえば、把持部材１８の外側面はポリウレタン材料を具備し得ると共に、把持部材１８の内側面はEVA材料を具備し得る。各層は、たとえば、前記外側層の内側部に対し、前記内側層の外側部に対し、又は、両方の層に対し、接着剤を塗付することにより、接着され、結合され、又は、別様に取付けられ得る。
【００５２】
幾つかの実施例において、接着剤は、リールシート１２の凹状形成領域２６、把持部材１８の内側面５０、又は、凹状形成領域２６及び把持部材の内側面５０の両方に対し、吹き付けられ、塗装され、又は、別様に適用される。把持部材１８が凹状形成領域２６に対して重ね付けられ、巻回され、又は、別様に装着されるにつれ、前記接着剤は確実な様式で、前記把持部材を前記リールシートに対して取付け得る。
【００５３】
幾つかの実施例において、把持部材１８の一つ以上の層はEVAを具備することで、完成されたリールシートの重量を減少し且つ密度を低下させると共に、水又は他の流体を吸収して保持する傾向が少ない緩衝材料を提供する。このことは特に、たとえば、釣り竿が水中に落下されたときなど、釣り竿の用途において有用である、と言うのも、本発明の実施例に係る軽量／低密度の把持部材１８は好適に、濡れたときにも浮くからである。幾つかの実施例において、EVA層は、約０.５〜１.５ミリメートルの厚みであり得る。幾つかの実施例において、EVA層は、約０.７５〜１.２５ミリメートルの厚みであり得る。好適実施例において、EVA層は約１ミリメートルの厚みであり得る。幾つかの実施例において、EVA部材は、約０.１〜０.５ミリメートルの厚みであり得る。
【００５４】
幾つかの実施例において、把持部材１８の外側面は、ポリウレタン材料を具備し得る。幾つかの実施例において、前記ポリウレタン材料は、たとえば、当該薄寸布地層をポリウレタン浴内に浸漬することによりポリウレタンで浸潤された薄寸の不織布層として製造され得る。前記ポリウレタンは、好適には、凝固されることで、一つ以上の独立気泡又は空隙を形成する。前記不織布層は、外側面及び内側面を有し、且つ、ナイロン、綿、ポリエステルなどの如き適切な材料で作製され得ると共に、フェルトであり得る。幾つかの実施例において、前記布地層は、圧縮されることで、自身に対するポリウレタンの適用に先立ち、自身の厚みを減少し得る。幾つかの実施例において、前記圧縮によれば、布地層の剛性も高められる。幾つかの実施例において、前記圧縮によれば、不織繊維が拡開されて、薄寸布地層内へのポリウレタンの浸透性も高められる。薄寸布地層内へのポリウレタンの浸透及び浸潤の量を増大すると、把持部材１８内に浸漬して捕捉される水及び他の流体が利用できる空間の量が減少される。このことは、釣り竿の用途において特に有用である。幾つかの実施例において、前記薄寸不織布層は、約０.１〜０.５ミリメートルである。幾つかの実施例において、前記薄寸不織布層は、約０.３〜０.４ミリメートル厚みである。幾つかの実施例において、前記薄寸不織布層は、約０.３〜０.３５ミリメートル厚みである。幾つかの実施例において、前記薄寸布地層は、約０.３５ミリメートル厚みである。
【００５５】
示されない幾つかの実施例においては、薄寸の布地シートがポリウレタン浴から取り出された後であり且つポリウレタンが凝固する前に、前記シートを覆う未凝固のポリウレタンの上面に対し、付加的な液体状ポリウレタンが加えられ得る。前記第２のポリウレタンは、前記第１のポリウレタンと異なる一つ以上の特性を含むことで、把持部材１８上にコントラストを提供し得ると共に、それらは、一緒に凝固することで、異なる特性の連続的なポリウレタン層を形成し得る。たとえば、前記第２のポリウレタンは、異なる色、硬度、又は、粘着のレベルを有し得る。幾つかの実施例において、増進された耐水性のために、把持部材１８の外側面上には、ポリウレタン又は他のポリマの塗付層が含まれ得る。
【００５６】
幾つかの実施例において、一旦形成されたなら、前記把持部材は、互換的なリールシート１２の凹状形成領域２６に対応する適切な形状へと切断され得る。更に、前記把持部材の表面上にはパターンが刻印されることで、リールシートに対する付加的な把持機能を実現する大きな摩擦が提供され得る。幾つかの実施例において、把持部材１８がリールシート１２の凹状形成領域２６の回りに重ね付けられ又は巻回されたときに、角度付き継目４４に沿い、斜断縁部同士が、同様の層同士が接触して接着され乍ら重なり合う如く、把持部材１８の縁部は平行様式で斜断され得る。幾つかの実施例においては、リールシート１２の凹状形成領域２６の回りに巻回されたときに、相互に接触する各側縁部にて又はそれらの近傍にて、継目が各外側面を以て縫い合わされ得る如く、各側縁部は、非平行様式で斜断される。
【００５７】
幾つかの実施例において、把持部材１８の厚みは概略的に凹状形成領域２６の深度に対応することで、把持部材１８からリールシート１２の他の部分への円滑な遷移部の生成が促進される。幾つかの実施例において、把持部材１８の厚みは、前記リールシートの異なる部分に対して種々の性能利点を提供すべく、変化せしめられ得る。幾つかの実施例において、前記リールシートの縁部は、厚みが、凹状形成領域２６の深度に対応することで、把持部材１８の表面からリールシート１２への円滑な遷移部の生成が促進され得る。
【００５８】
幾つかの実施例において、把持部材１８は、前記に記述されたのとは異なる材料から構成され得る。たとえば、把持部材１８は、互換的なリールシート１２の凹状形成領域２６に対応する形状へと射出成形されたポリウレタンであり得る。幾つかの実施例において、把持部材１８は、凹状形成領域２６上に形成され得る。たとえば、把持部材１８は、凹状形成領域２６内に弾性材料を成膜し、前記リールシート上のグリップを形成し得る。幾つかの実施例において、把持部材１８は、フェルト層なしで層状化されたポリウレタン及びEVA、単一のポリウレタン層、皮革、布地、コルク、ウッド、ゴムなどの天然材料、又は、他の天然の材料もしくは生成物、他の天然又は合成のポリマ材料、又は、釣り人に対する好適な性能的又は美観的な特性を提供する他の任意の弾性材料、の如き、他の材料で作成され得る。
【００５９】
幾つかの実施例において、把持部材１８は、互換的なリールシート１２から取り外されて、別の把持部材１８と交換され得る。これにより、釣り人は、リールシート１２上で摩滅又は破損したグリップに起因して生ずる問題を解決し得る。幾つかの実施例において、これによれば、釣り人は、リールシート１２の美観的な外観を変更し、又は、把持部材１８の性能特性を変更して自身の嗜好又は特定の動作の要件に適応することも可能とされ得る。たとえば、もし釣り人が、異なる種類の釣りに対し、新たなリールを備えた竿を装備するなら、釣り人は、先に使用されたリールとは異なる把持特性を備えるリールシートを使用することを好み得る。
【００６０】
V．釣り竿の用途
本明細書中に開示されるリールシートは、好適には、互換的な釣り竿に対して取付けられる。たとえば、図１に示された如く、本明細書中に開示されたリールシート１２は、釣り竿１の取手部分に対して取付けられ得る。前記リールシートを釣り竿１に対して取付けるために、前記釣り竿のシャフト２の取手部分は、リールシート１２の長手キャビティ２８内へと挿入され得る。幾つかの実施例において、シャフト２は、前記取手部分に亙りテーパ付けされ得る。斯かる実施例において、リールシート１２は、釣り竿１の小径の先端から、該釣り竿１のシャフト２上へと摺動され得る。幾つかの実施例において、このためには、この時点で、釣り竿１のシャフト２には各鳩目３が取付けられていないことが必要であり得る。幾つかの実施例において、リールシート１２の長手キャビティ２８は、シャフト２の根元端部よりも大きな直径を有し得る。リールシート１２が、釣り竿の取手に沿う適切な箇所に一旦位置決めされたなら、それは、接着剤又はエポキシにより所定位置に固着され得る。
【００６１】
幾つかの実施例において、リールシート１２は、釣り竿１と共に使用されるべく製造され得る。たとえば、本明細書中に記述された如き本体部分１６が配備され得る。幾つかの実施例において、前記把持部材が配備され得る。本明細書中に記述された如く、把持部材１８は、凹状形成領域２６の近傍で、本体部分１６を形成する材料とは異なる特性を備える材料を具備し得る。幾つかの実施例において、前記把持部材の外周縁は、凹状形成領域２６の形状に対応する。幾つかの実施例において、前記把持部材は、該把持部材１８が前記凹状形成領域内に固着される如く、本体部分１６上に固着される。把持部材１８を前記本体部分に対して固着するために、該把持部材１８は、前記本体部分に対して接着され得る。幾つかの実施例において、前記凹状形成領域内に把持部材１８を固着すると、該凹状形成領域２６の近傍における把持部材１８と本体部分１６との間の遷移部が円滑である如く、該凹状形成領域は満たされる。
【００６２】
幾つかの実施例においては、図１〜図５に示された如く、本明細書中に開示された如きリールシートは、前側グリップ６、後側グリップ８及び根元キャップ１０の如き一つ以上のグリップ間に位置され得る。幾つかの実施例において、釣り竿は、各図中に示されたよりも少ない又は付加的なグリップを含み得る。たとえば、本明細書に開示された如きリールシートを備えた釣り竿は、前側グリップ及び後側グリップを有し得るが、別体的な根元キャップは有さないこともある。幾つかの実施例において、前記釣り竿は、前側グリップを有さないこともあり、又は、後側グリップを有さないこともある。たとえば、本明細書に開示された如きリールシートを備えるフライロッドは前側グリップを有し得るが、前記リールシートは、竿の端部におけるものとされ得るので、後側グリップは無くても良い。
【００６３】
幾つかの実施例において、リールシート１２の把持部材１８は、釣り竿上の他のグリップの把持表面１９に一致すべく構成される。たとえば、図１、図２及び図３に示された如く、各グリップの把持表面１９は、共通の設計態様である。幾つかの実施例において、各把持表面１９は、同一材料で構成もされ得る。幾つかの実施例において、前記リールシートの把持部材１８は、釣り竿の取手上の他のグリップとは異なる設計態様もしくは材料を有し得る。たとえば、図４に示された如く、前記リールシートの把持部材１８は、他のグリップ部分の把持表面１９とは異なっている。幾つかの実施例において、前記リールシートの把持部材１８は、他のグリップ部分の把持表面１９とは異なる設計態様を有し得るが、同一もしくは同様の材料で構成され得る。幾つかの実施例において、リールシート１２は、他の把持表面１９の一つ以上に一致するが他の把持表面には一致しないという把持部材１８を有し得る。たとえば、図５に示された如く、リールシートの把持部材１８は、根元キャップの把持表面１９と一致するが、前側グリップ６及び後側グリップ８の把持表面１９とは一致しない。
【００６４】
幾つかの実施例において、各把持表面１９は、把持部材１８とは異なる材料を具備することで、異なる性能利点を提供し得る。たとえば、把持部材１８は、釣り人が、魚を誘い、魚の食い付きを感じ、又は、魚をリール引きすることを能動的に試行する間に、僅かな動きを感じ得る様に、釣り人の手に対して釣り竿のシャフト２からの振動が集中的に伝達されるべく構成され得る。他方、釣り竿の後側グリップは、基本的にキャスティングに対して使用され得ると共に、釣り人に対する振動の伝達は優先事項ではないこともあるが、代わりに、粘着性及び快適さが性能の目的であり得る。幾つかの実施例において、異なるグリップに対して好適な性能特性を提供するために、異なる材料が使用され得る。幾つかの実施例において、異なるグリップに対して好適な性能特性を提供するためには、同一もしくは同様の材料が使用され得るが、材料の厚み又は材料の一つ以上の層は、異なる特性を提供すべく異なり得る。従って、各グリップを如何にして釣り竿上に取入れるかの説明と共に、対応する用途及び／又は外観に基づく特性を備えた複数のグリップの異なる組み合わせ物を含むキットが提供され得る。
【００６５】
上述された種々の特徴及びプロセスは、相互に独立的に使用され得るか、又は、種々の様式で組み合わされ得る。全ての可能的な組み合わせ又は下位組み合わせは、本開示内容の有効範囲内に収まることが意図される。これに加え、幾つかの方法又はプロセスは、幾つかの実施形態においては省略され得る。本明細書中に記述された方法及びプロセスはまた、任意の特定の順序に制限されるものでもない。たとえば、記述された方法は、詳細に開示された以外の順序で実施され得るか、又は、複数の段階は、組み合わされて単一の段階とされ得るか、又は、他の一定の段階と並行して実施され得る。本明細書中に記述された例示的なシステム及び構成要素は、記述されたのとは異なる様に構成され得る。たとえば、各要素は、開示された例示的な実施例に対し、付加され、それらから省略され、又は、それらと比較して再配置され得る。
【００６６】
幾つかの用語は、前記説明中では参照のためにのみ使用され得ることから、限定的であることは意図されない。たとえば、「上方」及び「下方」などの語句は、図面中において参照が為される方向を指している。「前側」、「後側」、「左側」、「右側」、「後方」及び「側方」などの語句は、一貫しているが任意であるという参照の枠組みであって、論じられつつある構成要素又は要素を記述する本文及び関連する図面に対する参照により明確化されるという枠組み内で、構成要素又は要素の一部の配向及び／又は箇所を記述している。更に、「第１」、「第２」、「第３」などの如き語句は、別体的な構成要素を記述すべく使用され得る。斯かる用語は、前記にて特に言及された語句、その派生物、及び、同様の重要さの語句を包含し得る。
【００６７】
別様に特に述べられるのでなければ、又は、使用される文脈において別様に理解されるのでなければ、たとえば、特に、「し得る」、「し得た」、「し得たかもしれない」、又は、「しても良い」という条件的語句は、概略的に、他の実施例は含まないが、一定の実施例は一定の特徴、要素及び／又は段階を含み得ることを伝達することが意図される。故に、斯かる条件付き語句は概略的に、特徴、要素及び／又は段階が任意の特定の実施例に含まれ又は該実施例において実施されるべきであるか否かに関わらず、これらの特徴、要素及び／又は段階が一つ以上の実施例に対して何らか必要とされること、又は、一つ以上の実施例が必然的に、ユーザの入力もしくは催促ありでもしくはなしで、判断のための論理を含むこと、を意味することは意図されない。
【００６８】
各要素が特に容認可能な例であると理解されるべき上述の実施例に対しては、多くの変更及び改変が為され得ることが強調されるべきである。本明細書において、斯かる改変及び変更の全ては、本開示内容の有効範囲内に包含されることが意図される。上述の説明は、幾つかの実施例を詳述している。しかし、前記内容が本文又は各図において如何に詳述されていても、前記システム及び方法は、多くの様式で実用化され得ることは理解される。同様に前述された如く、本発明の一定の特徴又は見地を記述するときにおける特定の用語の使用は、該用語が、該用語が関連付けられたシステム及び方法の特徴又は見地の任意の特定の特性を包含すると限定されるべく本明細書において再定義されつつあることを意味すると解釈されるべきでないことを銘記すべきである。
【符号の説明】
【００６９】
１    釣り竿
２    シャフト
３    鳩目／ラインガイド
４    釣用リール
６    前側グリップ
８    後側グリップ
１０    根元グリップ
１２    リールシート
１４    固着部分
１６    本体部分
１８    把持部材
１９    把持部分／把持表面
２０    螺条付き領域
２２    リール脚部受容領域
２４    トリガ
２５    中空部分
２６    凹状形成受容部分／凹状形成部分
２８    内部長手キャビティ／内部キャビティ
２９    切欠き部分
３０    調節可能スリーブ
３１    第２スリーブ
３２    固着用ナット
３３    付加的領域
３４    切欠きスリーブ
３６    キャビティ
３７    キャビティ
３８    整列用隆起部
４０    整列用凹所
４０Ａ    箇所
４０Ｂ    箇所
４０Ｃ    箇所
４０Ｄ    箇所
４２Ａ    領域
４２Ｂ    領域
４４    継目
５０    内側面
【図１】
2017018103.tif 000003
【図２】
2017018103.tif 000004
【図３】
2017018103.tif 000005
【図４】
2017018103.tif 000006
【図５】
2017018103.tif 000007
【図６】
2017018103.tif 000008
【図７】
2017018103.tif 000009
【図８】
2017018103.tif 000010
【図９】
2017018103.tif 000011
【図１０】
2017018103.tif 000012
【図１１】
2017018103.tif 000013
【図１２】
2017018103.tif 000014
【図１３】
2017018103.tif 000015
【図１４】
2017018103.tif 000016
【図１５】
2017018103.tif 000017
【図１６】
2017018103.tif 000018
【図１７】
2017018103.tif 000019
【図１８】
2017018103.tif 000020
【図１９】
2017018103.tif 000021
【図２０】
2017018103.tif 000022
【図２１】
2017018103.tif 000023
【図２２】
2017018103.tif 000024
【図２３】
2017018103.tif 000025
【図２４】
2017018103.tif 000026
【図２５】
2017018103.tif 000027
【図２６】
2017018103.tif 000028
【図２７】
2017018103.tif 000029
【図２８】
2017018103.tif 000030
【図２９】
2017018103.tif 000031
【図３０】
2017018103.tif 000032
【外国語明細書】
2017018103000001.pdf